(57)【要約】【課題】  ヘッドセット不使用時にはイヤホンを本体内に収納し、ヘッドセット使用時にはイヤホンを本体から突出することで、使用者に便宜を提供するイヤホンを備えたブルートゥース無線ヘッドセットを提供する。【解決手段】  本発明は、イヤホン１１０を備えたブルートゥース無線ヘッドセット１００であって、スピーカを備えるイヤホン１１０と、前記イヤホン１１０が取り付けられた昇降部１２０と、棒形状を有し、ブルートゥースチップが内蔵され、前記昇降部１２０が位置する空間部１３３が形成されている本体１３０を備え、前記昇降部１２０は前記空間部１３３を通じて上下移動可能なことを特徴とする。【選択図】図２
2007074728.tif 000002
【特許請求の範囲】
【請求項１】
イヤホンを備えたブルートゥース無線ヘッドセットであって、
スピーカを備えるイヤホンと、
前記イヤホンが取り付けられた昇降部と、
棒形状を有し、ブルートゥースチップが内蔵され、前記昇降部が位置する空間部が形成されている本体を備え、
前記昇降部は前記空間部を通じて上下移動可能なことを特徴とするイヤホンを備えたブルートゥース無線ヘッドセット。
【請求項２】
前記昇降部が前記本体の表面から突出している状態で、前記イヤホンを前記本体方向に押さえれば前記昇降部は前記空間部の中に入り、
前記昇降部が前記本体の空間部の中にある状態で、前記イヤホンを前記本体方向に押さえれば前記昇降部は前記本体外部に露出することを特徴とする請求項１に記載のイヤホンを備えたブルートゥース無線ヘッドセット。
【請求項３】
イヤホンを備えたブルートゥース無線ヘッドセットであって、
スピーカを備えるイヤホンと、
前記イヤホンが取り付けられた昇降部と、
棒形状で形成されてブルートゥースチップが内蔵され、前記昇降部が昇下降するように円形の隔壁により空間部が設けられる本体と、
前記本体空間部の上段から内側に陥没形成されるイヤホン安着溝と、
ロッキング部材を備え、前記本体の空間部の側面に設けられて前記イヤホンの昇降部を固定させるロッキングタイプのプッシュスイッチモジュールと、
を含むことを特徴とするイヤホンを備えたブルートゥース無線ヘッドセット。
【請求項４】
前記昇降部の内側と前記空間部の底面に各々固定されて前記昇降部を弾発力により昇降させるコイルスプリングが更に備えられることを特徴とする請求項３に記載のイヤホンを備えたブルートゥース無線ヘッドセット。
【請求項５】
前記昇降部が前記イヤホン安着溝から突出している状態で、前記イヤホンを前記本体方向に押さえれば前記昇降部が前記空間部の中に入りながら前記プッシュスイッチモジュールと結合固定されて前記イヤホン安着溝と密着した状態を維持し、
前記昇降部が前記本体の空間部の中にある状態で、前記イヤホンを前記本体方向に押さえれば前記昇降部が前記プッシュスイッチモジュールとの結合が解除されながら前記コイルスプリングの弾発力により前記イヤホン安着溝と離隔して前記本体の外部に露出することを特徴とする請求項３または４に記載のイヤホンを備えたブルートゥース無線ヘッドセット。
【請求項６】
前記昇降部は、
内部が空の円筒形で形成される胴体と、
乗下降をガイドし、離脱を防止するように前記胴体の底面端部に水平するように突出形成されるガイド段と、
下降時に前記プッシュスイッチモジュールのロッキング部材と結合された状態で下降されて前記プッシュスイッチモジュールにより固定され、昇降時に前記プッシュスイッチモジュールのロッキング部材と結合が解除されるように前記ガイド段と対応する位置で水平するように突出形成される係止段を含むことを特徴とする請求項３に記載のイヤホンを備えたブルートゥース無線ヘッドセット。
【請求項７】
前記隔壁は、
前記昇降部のガイド段の乗下降の際、これをガイドするように、これと対応する位置に形成される第１ガイドホールと、
前記昇降部の係止段の乗下降の際、これをガイドすると共に、前記隔壁の側面に引出させるように、これと対応する位置に形成される第２ガイドホールを備えることを特徴とする請求項３または６に記載のイヤホンを備えたブルートゥース無線ヘッドセット。
【請求項８】
前記プッシュスイッチモジュールの側面には、前記係止段が乗下降する第３ガイドホールが更に形成されることを特徴とする請求項５に記載のイヤホンを備えたブルートゥース無線ヘッドセット。
【請求項９】
イヤホンを備えたブルートゥース無線ヘッドセットであって、
スピーカを備えるイヤホンと、
前記イヤホンが付着された昇降部と、
棒形状で形成されてブルートゥースチップが内蔵され、前記昇降部が乗下降するように円形の隔壁により空間部が設けられる本体と、
前記本体の空間部の上段から内側に陥没形成されるイヤホン安着溝と、
前記本体の隔壁に形成されて前記イヤホンの昇降部を固定させるロッキング部と、
を含むことを特徴とするイヤホンを備えたブルートゥース無線ヘッドセット。
【請求項１０】
前記昇降部の内側と前記空間部の底面に各々固定されて、前記昇降部を弾発力により昇降させるコイルスプリングが更に備えられることを特徴とする請求項９に記載のイヤホンを備えたブルートゥース無線ヘッドセット。
【請求項１１】
前記昇降部が前記イヤホン安着溝から突出している状態で、前記イヤホンを前記本体方向に押さえれば前記昇降部が前記空間部の中に入りながら前記ロッキング部により固定されて前記イヤホン安着溝と密着した状態を維持し、
前記昇降部が前記本体の空間部の中にある状態で、前記イヤホンを前記本体方向に押さえれば前記昇降部が前記ロッキング部との固定が解除されながら前記イヤホン安着溝と離隔して前記本体の外部に露出することを特徴とする請求項９または１０に記載のイヤホンを備えたブルートゥース無線ヘッドセット。
【請求項１２】
前記昇降部は、
内部が空の円筒形で形成される胴体と、
乗下降をガイドし、離脱を防止するように前記胴体の底面端部に水平するように突出形成されるガイド段と、
一端部が左右に回動されて、前記ロッキング部と結合及び解除可能に前記胴体のガイド段と対応する位置で長手方向に切欠形成され、その端部に傾斜を有して突出し、下段に傾斜面が形成された係止段が突出形成される係止ピンを含むことを特徴とする請求項９に記載のイヤホンを備えたブルートゥース無線ヘッドセット。
【請求項１３】
前記隔壁は、
前記昇降部のガイド段の乗下降の際、これをガイドするように、これと対応する位置に形成されるガイドホールを更に備えることを特徴とする請求項９または１２に記載のイヤホンを備えたブルートゥース無線ヘッドセット。
【請求項１４】
前記ロッキング部は、
前記隔壁の側面で形成される直四角形ホールと、
前記係止ピンの係止段が下降後、上昇時に前記係止段が傾斜に沿って結合するように、前記ホールの一側面から内側に延長形成され、かつ、下方傾斜を有する結合段と、
前記係止ピンの係止段の傾斜面が案内されて陥没するように前記結合段の下段で四角形で形成される案内段と、
前記係止段が前記案内段により陥没した後、上昇時に前記結合段に再結合されることを防止するように、前記結合段と案内段との間に形成される安内面を備えることを特徴とする請求項９または１２に記載のイヤホンを備えたブルートゥース無線ヘッドセット。
【請求項１５】
移動可能イヤホンを備えたブルートゥースヘッドセットであって、
スピーカを含むイヤホンと、
ブルートゥースチップが内蔵され、前記イヤホンが位置する空間が形成されているボディー部を備え、
前記イヤホンは回転式移動可能に前記ボディー部に装着されていることを特徴とするイヤホンを備えたブルートゥースヘッドセット。
【請求項１６】
移動可能イヤホンを備えたブルートゥースヘッドセットであって、
スピーカを含むイヤホンと、
ブルートゥースチップが内蔵され、外装の一側部に所定の回転軸を中心に回動可能なイヤホンが設けられているボディー部を備えることを特徴とするイヤホンを備えたブルートゥースヘッドセット。
【発明の詳細な説明】
【技術分野】
【０００１】
本発明は、イヤホンを備えたブルートゥース無線ヘッドセットに関し、より詳しくは、プッシュボタンタイプで１回操作すれば下降し、再度１回操作すれば昇降するイヤホンを備えたブルートゥース無線ヘッドセットに関する。
【背景技術】
【０００２】
最近、携帯電話やＭＰ３のような母体となる電子機器に附属して別途の無線ヘッドセットを更に使用することによって、使用者が携帯電話やＭＰ３のような機器を直接手に握らない状態でも、このような機器を使用することができることになった。このように、無線ヘッドセットの使用が可能になったことは、ブルートゥース（Bluetooth）などの近距離無線通信技術の発展に起因したものである。
【０００３】
一方、前記無線ヘッドセットの一般的な形態は、前記無線ヘッドセットの装着位置が固定されるようにするために、前記無線ヘッドセットと一体で、または、分離可能形態で、耳殻と類似な構造の枠（ear hook）が提供された状態で、その枠が耳殻に支持されるようにする形態で使われた。しかしながら、このような構造は使用者が前記枠を自身の耳に掛かって回したり変形させる複雑な動作を通じてこれを着用しなければならない不便があり、正しい位置への着用が容易でないという問題点がある。
【０００４】
また、前記枠により無線ヘッドセットの全体の体積が大きくなり、前記枠の鉤状の形状により、ポケットなど、外部物体にかかる場合が頻繁に生じて、好ましくない。
【０００５】
このような問題を解決するために、図１のようなヘッドセットが開発された。
【０００６】
図１に示すように、ヘッドセットの外形は音声信号を出力するイヤホンと、イヤホンが固定（付着）された本体から構成される。図示してはいないが、本体は無線信号を受信する受信部と、これを増幅及び変調してスピーカが内蔵された前記イヤホンに音声信号を伝達する回路（ブルートゥースチップ）などを基本的に内蔵する。
【０００７】
図１から分かるように、このようなヘッドセットのイヤホンは本体に突出して固定されている。イヤホンがこのように突出して本体に固定されている理由は、ヘッドセットが耳の穴に着用されやすくするためである。即ち、耳の穴にイヤホンが安着するようにするためである。
【０００８】
ところが、ヘッドセットは使用しない間には使用者が自身のかばんやポケット（ワイシャツのポケット、または、ズボンのポケット等）の中に入れて保管することが普通であるが、洋服のポケット中に保管する場合、突出したイヤホン部分とイヤフック（ear hook）が身体の一部（例えば、胸、または、腿等）をぐっとぐっと押さえることになって、不快感が感じられるという問題点があり、また、かばんなどに保管する場合には突出したイヤホンとイヤフック（ear hook）が他の物とぶつかってイヤホンが壊される恐れがあるという問題点がある。
【特許文献１】特開２００５−１６７３６０号公報
【発明の開示】
【発明が解決しようとする課題】
【０００９】
本発明は、前記のような問題点を解決するためのものであって、ヘッドセットを使用しない間にはイヤホンを本体内に入れて置いて、ヘッドセットを使用する間にはヘッドセットが耳に安着できるようにイヤホンを本体から突出するようにすることで、使用者に便宜を提供するようにするイヤホンを備えたブルートゥース無線ヘッドセットを提供することをその目的とする。
【００１０】
また、本発明は、イヤホンをボディー部内に装着した後、使用時のみに耳の穴に着用し易くするために、畳むことができるイヤホンを備えたブルートゥース無線ヘッドセットを提供することを目的とする。
【００１１】
さらに、本発明は、イヤフック（ear hook）を使用しないようにし、イヤホン部分が本体から突出することを防止するために、一定の回転軸を中心にヒンジ及びその他の方式により回転するヘッドセットを提供することによって、使用者の便宜を向上させることができるイヤホンを備えたブルートゥース無線ヘッドセットを提供することをその目的とする。
【課題を解決するための手段】
【００１２】
前記のような目的を達成するために本発明は、イヤホンを備えたブルートゥース無線ヘッドセットであって、スピーカを備えるイヤホンと、前記イヤホンが取り付けられた昇降部と、棒形状を有し、ブルートゥースチップが内蔵され、前記昇降部が位置する空間部が形成されている本体を備え、前記昇降部は前記空間部を通じて上下移動可能なことを特徴とする。
【００１３】
また、本発明は、イヤホンを備えたブルートゥース無線ヘッドセットであって、スピーカを備えるイヤホンと、前記イヤホンが取り付けられた昇降部と、棒形状で形成されてブルートゥースチップが内蔵され、前記昇降部が昇下降するように円形の隔壁により空間部が設けられる本体と、前記本体空間部の上段から内側に陥没形成されるイヤホン安着溝と、前記本体の空間部の側面に設けられて、前記イヤホンの昇降部を固定させるロッキングタイプのプッシュスイッチモジュールと、を含むことを特徴とする。
【００１４】
また、本発明は、イヤホンを備えたブルートゥース無線ヘッドセットであって、スピーカを備えるイヤホンと、前記イヤホンが取り付けられた昇降部と、棒形状で形成されてブルートゥースチップが内蔵され、前記昇降部が乗下降するように円形の隔壁により空間部が設けられる本体と、前記本体の空間部の上段から内側に陥没形成されるイヤホン安着溝と、前記本体の隔壁に形成されて前記イヤホンの昇降部を固定させるロッキング部と、を含むことを特徴とする。
【００１５】
また、本発明は、スピーカを含むイヤホンと、ブルートゥースチップが内蔵され、前記イヤホンが位置する空間が形成されているボディー部を備え、前記イヤホンは回転式移動可能に前記ボディー部に装着されていることを特徴とする。
【００１６】
さらに、本発明は、スピーカを含むイヤホンと、ブルートゥースチップが内蔵され、外装の一側部に所定の回転軸を中心に回転移動可能なイヤホンが設けられているボディー部とを備えることを特徴とする。
【発明の効果】
【００１７】
上記のように構成される本発明のイヤホンを備えたブルートゥース無線ヘッドセットによれば、ヘッドセットを使用しない間にはイヤホンを本体内に入れて置いて、ヘッドセットを使用する間にはヘッドセットが耳に安着できるようにイヤホンを本体から突出するようにすることによって、使用者に便宜を提供することができる。
【００１８】
また、使用者の携帯が簡便になる長所が得られ、使用者は長い棒形状の本体を握った状態で、イヤホンのみを指で押さえれば良いので、より便利にブルートゥース無線ヘッドセットを使用することができる長所が得られる。
【００１９】
また、折畳機能があるイヤホンを備えたヘッドセットを提供することにより、ヘッドセットが不要にボディー部から突出していることによりもたらされる不便を事前に除去することができる。
【発明を実施するための最良の形態】
【００２０】
以下、本発明の実施形態に係るイヤホンを備えたブルートゥース無線ヘッドセットの構成を添付された図面を参照しつつ詳細に説明すれば、次の通りである。
【００２１】
下記で本発明を説明することにおいて、関連した公知機能または構成に対する具体的な説明が本発明の要旨を曖昧にすることができると判断される場合にはその詳細な説明は適宜省略する。そして、後述される用語は本発明での機能を考慮して定義された用語であって、これは、使用者、運用者の意図または慣例などによって変わることができる。したがって、その正義は本明細書の全般に亘る内容に基づいて下されるべきである。
【００２２】
（第１実施形態）
図２は本発明に係るイヤホンを備えたブルートゥース無線ヘッドセットの構成を示す斜視図であり、図３は本発明の第１実施形態に係るイヤホンを備えたブルートゥース無線ヘッドセットの昇降部の構成を示す斜視図であり、図４は図２のＡ−Ａの断面図であり、図５は図２のＢ−Ｂの断面図である。
【００２３】
図２乃至図５を参照すれば、本発明に係るイヤホンを備えたブルートゥース無線ヘッドセット１００は、イヤホン１１０、昇降部１２０、本体１３０、イヤホン定着溝１４０、プッシュスイッチモジュール１５０及びコイルスプリング１６０から構成される。
【００２４】
まず、イヤホン１１０は内部に電気信号を空気の振動によって音響信号に再生するスピーカ装置が内蔵される。そして、イヤホン１１０の端部には軟性材質の挿入部材が形成されて、使用者の耳に前記挿入部材が挿入されれば柔らかに変形されることによって、前記挿入部材が一旦耳に挿入されれば、挿入状態が硬く維持されることができる。したがって、イヤホンを備えたブルートゥース無線ヘッドセット１００が耳に据置されるようにするための耳殻と類似な形態及び形式のいかなる枠を必要としなくなる。
【００２５】
そして、昇降部１２０は、内部が空の円筒形で形成される胴体１２１と、昇下降をガイドし、離脱を防止するように胴体１２１の底面端部に水平するように突出形成されるガイド段１２３と、下降の際、下記で説明するプッシュスイッチモジュール１５０のロッキング部材１５１と結合された状態で下降されてプッシュスイッチモジュール１５０により固定され、昇降の際、プッシュスイッチモジュール１５０のロッキング部材１５１と結合が解除されるようにガイド段１２３と対応する位置で水平するように突出形成される係止段１２５からなる。ここで、昇降部１２０の高さは係止段１２５がプッシュスイッチモジュール１５０のロッキング部材１５１をロッキング／アンロッキングが解除できるように形成されることが好ましい。
【００２６】
また、本体１３０は棒形状で形成され、昇降部１２０が昇下降するように円形の隔壁１３１により空間部１３３が設けられる。
【００２７】
ここで、隔壁１３１は昇降部１２０のガイド段１２３の昇下降の際、これをガイドするように、これと対応する位置に形成される第１ガイドホール１３１−１と、昇降部１２０の係止段１２５の昇下降の際、これをガイドすると共に、隔壁１３１の側面に引出させるように、これと対応する位置に形成される第２ガイドホール１３１−３を更に備える。
【００２８】
ここでまた、本体１３０の外面には使用者が音量を調節する音量調整部と、無線ヘッドセット１００を使用者が便利に据置するようにするクリップと、使用者の音声を受信するマイクと、無線ヘッドセット１００の電源を付けたり消したりすることに使われるオン／オフボタンと、バッテリーを充電するための充電端子が更に提供されることができる。
【００２９】
ここでまた、本体１３０の内部にはＭＰ３プレーヤーまたは携帯電話などのような母体との無線通信を遂行するブルートゥースモジュールと、ブルートゥースモジュールにより送受信される信号を増幅する増幅回路と、増幅された信号を音波を表す所定の電気信号に再生する再生回路が内蔵されることはもちろん、これらのそれぞれの構成要素により無線ヘッドセットの動作が遂行されることももちろんである。前記各回路は、前記本体１３０の内部に置かれる所定の基板１３５上に提供されることが好ましい。
【００３０】
また、イヤホン定着溝１４０は、イヤホン１１０が本体１３０に下降する際、イヤホン１１０が本体の上側に露出することを防止するように、本体１３０の空間部１３３の上段から内側へ半球形態で陥没形成される。
【００３１】
一方、プッシュスイッチモジュール１５０は、Ｖ字型で形成されて、内部を昇下降しながら、広げられたり、折畳まれたりするロッキング部材１５１を備えるロッキングタイプ（１回下降時のロッキング、１回下降時のアンロッキング）でイヤホン１１０の昇降部１２０を固定させるように本体１３０の空間部１３３の側面に設けられる。ここで、プッシュスイッチモジュール１５０の側面には昇降部１２０の係止段１２５が昇下降する第３ガイドホール１５３が更に形成される。ここでまた、プッシュスイッチモジュール１５０は下方に一回押さえれば押さえられており、また下方に１回押さえれば突出される公知のプッシュスイッチモジュールであって、その詳細な説明は省略する。
【００３２】
そして、コイルスプリング１６０は昇降部１２０の内側と空間部１３３の底面に各々固定されて昇降部１２０の係止段１２５とプッシュスイッチモジュール１５０のロッキング部材１５１の結合解除の際、昇降部１２０を弾発力により昇降させる。
【００３３】
以下、本発明に係るイヤホンを備えたブルートゥース無線ヘッドセットの動作を図２乃至図６を参照しつつ詳細に説明すれば、次の通りである。
【００３４】
図６は、本発明の第１実施形態に係るイヤホンを備えたブルートゥース無線ヘッドセットの動作状態を示す説明図である。
【００３５】
まず、昇降部１２０がイヤホン定着溝１４０から突出している状態で、使用者がイヤホン１１０に力を加えて下方に押さえれば、昇降部１２０がコイルスプリング１６０の弾発力を克服しながら下方に移動する。
【００３６】
この際、昇降部１２０は隔壁１３１により空間部１３３に受納されているため、垂直下方に移動することになる。
【００３７】
一方、昇降部１２０が下方に移動すれば、これのガイド段１２３が隔壁１３１の第１ガイドホール１３１−１に沿って移動することになり、これと共に、反対側に位置した昇降部１２０の係止段１２５が隔壁１３１の第２ガイドホール１３１−３に沿って移動することになる。
【００３８】
そして、第２ガイドホール１３１−３を通じて引出された昇降部１２０の係止段１２５がプッシュスイッチモジュール１５０のロッキング部材１５１に挿入される。
【００３９】
次に、昇降部１２０の係止段１２５がプッシュスイッチモジュール１５０のロッキング部材１５１に挿入された状態でプッシュスイッチモジュール１５０の第３ガイドホール１５３に沿って下降することになれば、ロッキング部材１５１がプッシュスイッチモジュール１５０の内部に挿入されながら折畳まれて昇降部１２０の係止段１２５を固定させる。
【００４０】
プッシュスイッチモジュール１５０のロッキング部材１５１が一定地点まで下降して、ロッキング、即ちロッキング部材１５１が下方に移動した状態を維持すれば、使用者はイヤホン１１０に加えた力を解除すれば、昇降部１２０の係止段１２５がロッキング部材１５１により固定されるため、昇降部１２０と結合されたイヤホン１１０も下方に移動した状態を維持して、イヤホン定着溝１４０に挿入された状態を維持する。この際、プッシュスイッチモジュール１５０は下方に移動した後、若干上昇することになりながら、ロッキング状態を維持する。
【００４１】
反対に、イヤホンを備えたブルートゥース無線ヘッドセット１００を使用しようとする場合に、使用者がイヤホン１１０に力を加えて下方に押さえれば、プッシュスイッチモジュール１５０がアンロッキングされてロッキング部材１５１が上昇することになる。
【００４２】
ロッキング部材１５１が上昇することになれば、これと結合された昇降部１２０の係止段１２５も上昇してから、ロッキング部材１５１が完全上昇して広げられれば係止段１２５がこれと結合が解除される。
【００４３】
すると、昇降部１２０を固定していた力が消えながら昇降部１２０の下段に位置したコイルスプリングの弾発力が昇降部１２０を上昇させれば、イヤホンが上方に移動しながらイヤホン定着溝１４０から露出する。
【００４４】
（第２実施形態）
図７は本発明の第２実施形態に係るイヤホンを備えたブルートゥース無線ヘッドセットの昇降部の構成を示す斜視図であり、図８は本発明の第２実施形態に係るイヤホンを備えたブルートゥース無線ヘッドセットの正断面図であり、図９は本発明の第２実施形態に係るイヤホンを備えたブルートゥース無線ヘッドセットの側断面図である。
【００４５】
図７乃至図９を参照すれば、本発明に係るイヤホンを備えたブルートゥース無線ヘッドセット１００は、イヤホン１１０、昇降部１２０’、本体１３０、イヤホン定着溝１４０、ロッキング部１５０’及びコイルスプリング１６０からなる。
【００４６】
まず、イヤホン１１０は、内部に電気信号を空気の振動により音響信号に再生するスピーカ装置が内蔵される。そして、イヤホン１１０の端部にが軟性材質の挿入部材が形成されて、使用者の耳に前記挿入部材が挿入されれば柔らかに変形されることによって、前記挿入部材が一旦耳に挿入されれば、挿入状態が硬く維持されることができる。したがって、イヤホンを備えたブルートゥース無線ヘッドセット１００が耳に据置されるようにするための耳殻と類似な形態及び形式のいかなる枠を必要としなくなる。
【００４７】
そして、昇降部１２０’は、内部が空の円筒形で形成される胴体１２１’、昇下降をガイドし離脱を防止するように胴体１２１’の底面端部に水平するように突出形成されるガイド段１２３’、及び一端部が左右に回動して下記で説明するロッキング部１５０’と結合及び解除可能に胴体１２１’のガイド段１２３’と対応する位置で長手方向へ切欠されて形成され、その端部に傾斜を有して突出し、下段に傾斜面１２８’が形成された係止段１２７’が突出形成される係止ピン１２５’からなる。ここで、昇降部１２０’の高さは係止ピン１２５’がロッキング部１５０’とのロッキング／アンロッキングが解除できる高さで形成されることが好ましい。
【００４８】
また、本体１３０は棒形状で形成され、昇降部１２０’が昇下降するように円形の隔壁１３１により空間部１３３が設けられる。
【００４９】
ここで、隔壁１３１は、昇降部１２０’ のガイド段１２３’の昇下降の際、これをガイドするように、これと対応する位置に形成されるガイドホール１３１−１を更に備える。
【００５０】
ここでまた、本体１３０の外面には使用者が音量を調節する音量調整部と、無線ヘッドセット１００を使用者が便利に据置するようにするクリップと、使用者の音声を受信するマイクと、無線ヘッドセット１００の電源を付けたり消したりすることに使われるように形成されたオン／オフボタンと、バッテリーを充電するための充電端子が更に提供されることができる。
【００５１】
ここでまた、本体１３０の内部にはＭＰ３プレーヤー、または、携帯電話などのような母体との無線通信を遂行するブルートゥースモジュールと、ブルートゥースモジュールにより送受信される信号を増幅する増幅回路と、増幅された信号を音波を表す所定の電気信号に再生する再生回路が内蔵されることはもちろん、これらそれぞれの構成要素によって無線ヘッドセットの動作が遂行されることももちろんである。前記各回路は本体１３０の内部に置かれる所定の基板１３５上に提供されることが好ましい。
【００５２】
また、イヤホン定着溝１４０は、イヤホン１１０の本体１３０への下降の際、イヤホン１１０が本体の上側に露出することを防止するように、本体１３０の空間部１３３の上段から内側へ半球形態で陥没形成される。
【００５３】
一方、ロッキング部１５０’は、隔壁１３１の側面で形成される直四角形態のホール１５０’−１と、係止ピン１２５’の係止段１２７’が下降してから上昇時、係止段１２７’が傾斜に沿って結合するようにホール１５０’−１の一側面から内側へ延長形成され、かつ、下方傾斜を有する結合段１５０’−３と、係止ピン１２５’の係止段１２７’の傾斜面１２８’が案内されて陥没するように結合段１５０’−３の下段で四角形で形成される案内段１５０’−５と、係止段１２７’が案内段１５０’−５により陥没してから上昇時、結合段１５０’−３に再結合されることを防止するように結合段１５０’−３と案内段１５０’−５との間に形成される安内面１５０’−７を備える。ここでまた、ロッキング部１５０’は下方に一度押さえれば押さえられており、再度下方に押さえれば突出する公知のノック式筆記具の構造であって、その詳細な説明は省略する。
【００５４】
そして、コイルスプリング１６０は昇降部１２０’の内側と空間部１３３の底面に各々固定されて、昇降部１２０’の係止段１２７’とロッキング部１５０’の結合解除時、昇降部１２０’を弾発力により昇降させる。
【００５５】
以下、本発明に係るイヤホンを備えたブルートゥース無線ヘッドセットの動作を図７乃至図１０を参照して詳細に説明すれば、次の通りである。
【００５６】
図１０は、本発明の第２実施形態に係るイヤホンを備えたブルートゥース無線ヘッドセットの動作状態を示す説明図である。
【００５７】
まず、昇降部１２０’がイヤホン定着溝１４０から突出している状態で、図１０のように、使用者がイヤホン１１０に力を加えて下方に押さえれば、昇降部１２０’がコイルスプリング１６０の弾発力を克服しながら下方に移動する。
【００５８】
この際、昇降部１２０’は隔壁１３１により空間部１３３に受納されているため、垂直下方に移動することになる。
【００５９】
一方、昇降部１２０’が下方に移動すれば、これのガイド段１２３’が隔壁１３１のガイドホール１３１−１に沿って移動することになり、これと共に反対側に位置した昇降部１２０’の係止ピンの係止段１２７’がロッキング部１５０’のホール１５０’−１に沿って移動することになる。
【００６０】
次に、昇降部１２０’の係止ピン１２５’の係止段１２７’がロッキング部１５０’の結合段１５０’−３の傾斜に合うと、図１１のように、係止ピン１２５’が回動し、係止段１２７’の傾斜により結合段１５０’−３の傾斜に沿って移動し、結合段１５０’−３の端部、即ち傾斜が終わる部分から下方に移動してから、係止ピン１２５’の復原力により係止段１２７’が図面上の左側に移動し、これの傾斜により結合段１５０’−３の下段と結合することになる。
【００６１】
係止ピン１２５’の係止段１２７’が結合段に固定されれば、昇降部１２０’と結合されたイヤホン１１０も下方に移動した状態を維持してイヤホン定着溝１４０に挿入された状態を維持する。
【００６２】
反対に、イヤホンを備えたブルートゥース無線ヘッドセット１００を使用しようとする場合に、図１２のように、使用者がイヤホン１１０に力を加えて下方に押さえれば、係止ピン１２５’の係止段１２７’が下降することになり、これによって、係止段１２７’の傾斜面１２８’が案内段１５０’−５により案内されて陥没する。
【００６３】
そして、陥没された状態では、コイルスプリング１６０の弾発力により上昇されるが、上昇の際、ロッキング部１５０’の安内面１５０’−７により陥没した状態を維持しながら垂直に上昇することになって、係止段１２７’が結合段１５０’−３に再結合されることが防止される。
【００６４】
すると、昇降部１２０’は続けて上昇することになって、結局、イヤホン１１０が上方に移動しながらイヤホン定着溝１４０から露出する。
【００６５】
したがって、本発明のヘッドセットを使用する場合、イヤホンが外部に突出されることにより発生できる問題点、身体接触、他物品との接触による毀損などを防止することができる。
【００６６】
そして、本発明の第１及び第２実施形態の技術的思想は、イヤホンが安着した昇降部を１回の下方性タッチ圧力により本体内の空間部に受納させ、また一回の下方性タッチ圧力により本体の外部に突出されるようにしたものであるから、このような特徴を有する昇降部は、その構成の一部変更などにも関わらず、その機能が同一であれば本発明の範囲に属する。
【００６７】
また、本発明の第１及び第２実施形態は例示に過ぎないものであり、昇降部を備える全ての形態のヘッドセットに適用されることができる。即ち、イヤリング型ヘッドセット、テレマーケッタ型ヘッドセット、コンピュータ用ヘッドセットなど、全ての形態のヘッドセットに適用可能である。
【００６８】
（第３実施形態）
図１３乃至図１５は、本発明の第３実施形態である。
【００６９】
図１３はイヤホンを備えたブルートゥース無線ヘッドセット２００の平面図であって、ボディー部２１０の中央にイヤホン２２０が安着している形状を示している。ここで、イヤホン２２０は、ボディー部２１０の中央に形成された溝内に位置する。
【００７０】
図１４は、図１３のイヤホン折畳機能を説明する図であって、図１３の側面でイヤホンがどのように移動（折畳）可能になるのかを説明する図である。
【００７１】
図示したように、矢印方向にイヤホン２２０を移動させることができるので、ヘッドセットを使用する場合には外部に露出させ、使用しない場合にはボディー部２１０内に入れることができることが分かる。
【００７２】
イヤホンはボディー部内にヒンジ方式により固定されているので、図１４のような移動が可能である。
【００７３】
図１５は、イヤホンのみを別途に分離して図示したものであって、その形態は多様であり得る。
【００７４】
（第４実施形態）
図１６は、本発明の第４実施形態である。
【００７５】
図１６は、イヤホンを備えたブルートゥース無線ヘッドセット３００の側面図のみを図示したものであって、ボディー部３１０の外装一側部（側面）にヒンジ方式により（または、回転軸を中心に）回転移動可能なイヤホン３２０が固定されている。
【００７６】
図示したように、矢印方向にイヤホンを移動させることができる。即ち、折畳むことができる。したがって、ヘッドセットを使用する場合には、耳に挿入することが容易であるようにイヤホンを突出させ、使用しない場合にはヘッドセットの長手方向の上部に定着させて置くことにより、イヤホンを非常に便利に使用することができる。
【００７７】
そして、本発明の第３及び第４実施形態の技術的思想は移動式または回転式イヤホンが１つの軸を中心にしてイヤホンを回転または移動させて使用する全てのヘッドセットに適用可能である。
【図面の簡単な説明】
【００７８】
【図１】従来の無線ヘッドセットの構成を示す図である。
【図２】本発明に係るイヤホンを備えたブルートゥース無線ヘッドセットの構成を示す斜視図である。
【図３】本発明の第１実施形態に係るイヤホンを備えたブルートゥース無線ヘッドセットの昇降部の構成を示す斜視図である。
【図４】図２のＡ−Ａの断面図である。
【図５】図２のＢ−Ｂの断面図である。
【図６】本発明の第１実施形態に係るイヤホンを備えたブルートゥース無線ヘッドセットの動作状態を示す説明図である。
【図７】本発明の第２実施形態に係るイヤホンを備えたブルートゥース無線ヘッドセットの昇降部の構成を示す斜視図である。
【図８】本発明の第２実施形態に係るイヤホンを備えたブルートゥース無線ヘッドセットの正断面図である。
【図９】本発明の第２実施形態に係るイヤホンを備えたブルートゥース無線ヘッドセットの側断面図である。
【図１０】本発明の第２実施形態に係るイヤホンを備えたブルートゥース無線ヘッドセットの動作状態を示す説明図１である。
【図１１】本発明の第２実施形態に係るイヤホンを備えたブルートゥース無線ヘッドセットの動作状態を示す説明図２である。
【図１２】本発明の第２実施形態に係るイヤホンを備えたブルートゥース無線ヘッドセットの動作状態を示す説明図３である。
【図１３】本発明の第３実施形態に係るイヤホンを備えたブルートゥース無線ヘッドセットの動作状態を示す説明図１である。
【図１４】本発明の第３実施形態に係るイヤホンを備えたブルートゥース無線ヘッドセットの動作状態を示す説明図２である。
【図１５】本発明の第３実施形態に係るイヤホンを備えたブルートゥース無線ヘッドセットの動作状態を示す説明図３である。
【図１６】本発明の第４実施形態に係るイヤホンを備えたブルートゥース無線ヘッドセットの動作状態を示す説明図である。
【符号の説明】
【００７９】
１００，２００，３００  ブルートゥース無線ヘッドセット
１１０，２２０，３２０  イヤホン
１２０，１２０’  昇降部
１２１，１２１’  胴体
１２３，１２３’  ガイド段
１２５  係止段
１２５’  係止ピン
１２７’  係止段
１２８’  傾斜面
１３０  本体
１３１  隔壁
１３１−１  第１ガイドホール
１３１−３  第２ガイドホール
１３３  空間部
１３５  基板
１４０  イヤホン定着溝
１５０  プッシュスイッチモジュール
１５０’  ロッキング部
１５０’−１  ホール
１５０’−３  結合段
１５０’−５  案内段
１５０’−７  安内面
１５１  ロッキング部材
１５３  第３ガイドホール
１６０  コイルスプリング
２１０，３１０  ボディー部  
【図１】
2007074728.tif 000003
【図２】
2007074728.tif 000004
【図３】
2007074728.tif 000005
【図４】
2007074728.tif 000006
【図５】
2007074728.tif 000007
【図６】
2007074728.tif 000008
【図７】
2007074728.tif 000009
【図８】
2007074728.tif 000010
【図９】
2007074728.tif 000011
【図１０】
2007074728.tif 000012
【図１１】
2007074728.tif 000013
【図１２】
2007074728.tif 000014
【図１３】
2007074728.tif 000015
【図１４】
2007074728.tif 000016
【図１５】
2007074728.tif 000017
【図１６】
2007074728.tif 000018